(57)【要約】【課題】樹脂製の扉本体に対する係合部材の支持を堅固にして、係合部材を含む開閉扉の剛性を高めることが可能で、扉閉まり力の増加で操作性が損なわれるような問題を回避可能なシート搬送装置及び画像形成装置を提供する。【解決手段】シート搬送装置は、樹脂製の扉本体１０ａと扉本体１０ａに固定された補強ステイ１５とを有する開閉扉１０を、装置本体に開閉可能に備えている。シート搬送装置は、開閉扉１０に設けられた第１フック部材４０と装置本体に設けられた第１フック軸とを有する第１ロック機構、及び、開閉扉１０に設けられた第２フック部材５０と装置本体に設けられた第２フック軸とを有する第２ロック機構を備えている。そして、このシート搬送装置では、第１フック部材４０及び第２フック部材５０が、補強ステイ１５を介して扉本体１０ａに取り付けられている。【選択図】図２
2017053930.tif 000002
【特許請求の範囲】
【請求項１】
一端部が回動可能に支持された樹脂製の扉本体と、前記扉本体における前記一端部と反対側の他端部にて前記扉本体に固定された一体の補強部材と、を有して、装置本体に開閉可能に支持される開閉扉と、
前記開閉扉及び前記装置本体の一方に設けられた係合部材と、前記開閉扉及び前記装置本体の他方に設けられて前記係合部材が係合される被係合部材と、を有し、前記開閉扉を閉じる動作で前記係合部材が前記被係合部材と係合することで前記扉本体の前記他端部を前記装置本体にロックするロック手段と、を備え、
前記係合部材と前記被係合部材の一方が、前記補強部材を介して前記扉本体に取り付けられている、
ことを特徴とするシート搬送装置。
【請求項２】
前記装置本体に対し所定位置を越えて挿入された前記扉本体の前記他端部を、前記係合部材と前記被係合部材とが係合を完了する位置に向けて引き込む引込み手段を備え、
前記引込み手段は、前記装置本体に回動可能に支持された引込み部材と、前記開閉扉に設けられて、前記引込み部材により引き込まれる被引込み部材と、前記装置本体と前記引込み部材との間に張設されて、前記被引込み部材を前記装置本体側に引き込む引込み姿勢と引き込まない非引込み姿勢とに前記引込み部材の姿勢を切り換える付勢部材と、を有し、
前記引込み部材及び前記被引込み部材の一方が、前記係合部材及び前記被係合部材の一方と共に前記補強部材を介して前記扉本体に取り付けられている、
ことを特徴とする請求項１に記載のシート搬送装置。
【請求項３】
前記引込み部材及び前記被引込み部材の一方と、前記係合部材及び前記被係合部材の一方とが、ネジ部材により共締めされて前記補強部材を介して前記扉本体に取り付けられている、
ことを特徴とする請求項２に記載のシート搬送装置。
【請求項４】
前記扉本体の前記一端部に設けられ、前記開閉扉を前記装置本体に対し回動可能に支持するヒンジ手段を備え、
前記補強部材は、前記ヒンジ手段により支持される前記扉本体の前記一端部の軸と平行な方向にて前記扉本体の前記他端部に沿うように延設されている、
ことを特徴とする請求項１乃至３のいずれか１項に記載のシート搬送装置。
【請求項５】
前記扉本体には、前記補強部材から前記ヒンジ手段に向かって延設される側部補強部材が固定され、
前記補強部材は、前記側部補強部材と共に前記扉本体に固定されている、
ことを特徴とする請求項４に記載のシート搬送装置。
【請求項６】
一端部が回動可能に支持された樹脂製の扉本体と、前記扉本体における前記一端部と反対側の他端部にて延設されて前記扉本体に固定された一体の補強部材と、を有して、装置本体に開閉可能に支持される開閉扉と、
前記開閉扉及び前記装置本体の一方に設けられた第１係合部材と、前記開閉扉及び前記装置本体の他方に設けられて前記第１係合部材が係合される第１被係合部材と、を有し、前記開閉扉を閉じる動作で前記第１係合部材が前記第１被係合部材と係合することで前記開閉扉の一側をロックする第１ロック手段と、
前記開閉扉及び前記装置本体の一方に設けられた第２係合部材と、前記開閉扉及び前記装置本体の他方に設けられて前記第２係合部材が係合される第２被係合部材と、を有し、前記開閉扉を閉じる動作で前記第２係合部材が前記第２被係合部材と係合することで前記開閉扉の他側をロックする第２ロック手段と、を備え、
前記第１係合部材と前記第２係合部材、及び、前記第１被係合部材と前記第２被係合部材の一方が、前記補強部材を介して前記扉本体に取り付けられている、
ことを特徴とするシート搬送装置。
【請求項７】
請求項１乃至６のいずれか１項に記載のシート搬送装置と、
前記シート搬送装置により搬送されてくるシートに画像を形成する画像形成手段と、を備える、
ことを特徴とする画像形成装置。
【発明の詳細な説明】
【技術分野】
【０００１】
本発明は、複写機、プリンタ、ファクシミリ等の画像形成装置においてシートを搬送するシート搬送装置、及びシート搬送装置を備えた画像形成装置に関する。
【背景技術】
【０００２】
従来、画像形成装置に用いられるシート搬送装置として、搬送されるシートがジャム（紙詰まり）した際に、これを容易に除去できるように搬送経路を開放可能に構成したものが知られている。このシート搬送装置では、シートを搬送する搬送ローラ対における駆動ローラが装置本体側に配置され、従動ローラが、装置本体に対して開閉可能に支持された開閉扉に配置されたものがある。この構成により、ジャム時には開閉扉を開放して従動ローラと駆動ローラとに分離することで、搬送ローラ対に挟持されたシートを容易に除去することが可能になる。
【０００３】
このようなシート搬送装置では、開閉扉の回動基部側を装置本体にヒンジにより軸支することで回動可能とし、自由端部側に把手部及びフック部材を配置することで開閉扉を閉じ状態にロックしたりロックを解除したりできるように構成するのが一般的である。この構成において、軽量化のために開閉扉を合成樹脂材のみで作製しようとすると、十分な強度を確保することが難しい。このような合成樹脂材からなる開閉扉に従動ローラが取り付けられると、開閉扉を装置本体側に閉じて従動ローラを駆動ローラに押し付ける際に、従動ローラを駆動ローラ側に付勢している加圧バネの付勢力に負けて開閉扉が撓みを発生する可能性がある。
【０００４】
そこで、開閉扉側の従動ローラを装置本体側の駆動ローラに付勢する構成において、樹脂製の扉本体の内面に金属製の補強部材を固定することで、従動ローラに付勢力が作用していても扉全体が撓む問題を回避するようにしたシート搬送装置が提案されている。この装置では、開閉扉の回動基部がヒンジ部により装置本体に回動可能に支持され、自由端部側に設けられたフック部材（係合部材）により、閉じ状態の開閉扉が装置本体側にロックされる（特許文献１参照）。
【先行技術文献】
【特許文献】
【０００５】
【特許文献１】特開２０１３−２２７１４７号公報
【発明の概要】
【発明が解決しようとする課題】
【０００６】
しかしながら、特許文献１記載の技術では、合成樹脂材で形成された扉本体にフック部材が直接設けられているため、フック部材を含めた扉本体の撓みに起因して、開閉扉を閉じる際に装置本体側のフック軸等との係合時の抵抗が大きくなる。そのため、扉閉まり力が増加して操作性を損なうおそれがある。
【０００７】
本発明は、樹脂製の扉本体に対する係合部材の支持を堅固にして、係合部材を含む開閉扉の剛性を高めることが可能で、扉閉まり力の増加で操作性が損なわれるような問題を回避可能なシート搬送装置及び画像形成装置を提供することを目的とする。
【課題を解決するための手段】
【０００８】
本発明は、シート搬送装置において、一端部が回動可能に支持された樹脂製の扉本体と、前記扉本体における前記一端部と反対側の他端部にて前記扉本体に固定された一体の補強部材と、を有して、装置本体に開閉可能に支持される開閉扉と、前記開閉扉及び前記装置本体の一方に設けられた係合部材と、前記開閉扉及び前記装置本体の他方に設けられて前記係合部材が係合される被係合部材と、を有し、前記開閉扉を閉じる動作で前記係合部材が前記被係合部材と係合することで前記扉本体の前記他端部を前記装置本体にロックするロック手段と、を備え、前記係合部材と前記被係合部材の一方が、前記補強部材を介して前記扉本体に取り付けられていることを特徴とする。
【０００９】
本発明は、シート搬送装置において、一端部が回動可能に支持された樹脂製の扉本体と、前記扉本体における前記一端部と反対側の他端部にて延設されて前記扉本体に固定された一体の補強部材と、を有して、装置本体に開閉可能に支持される開閉扉と、前記開閉扉及び前記装置本体の一方に設けられた第１係合部材と、前記開閉扉及び前記装置本体の他方に設けられて前記第１係合部材が係合される第１被係合部材と、を有し、前記開閉扉を閉じる動作で前記第１係合部材が前記第１被係合部材と係合することで前記開閉扉の一側をロックする第１ロック手段と、前記開閉扉及び前記装置本体の一方に設けられた第２係合部材と、前記開閉扉及び前記装置本体の他方に設けられて前記第２係合部材が係合される第２被係合部材と、を有し、前記開閉扉を閉じる動作で前記第２係合部材が前記第２被係合部材と係合することで前記開閉扉の他側をロックする第２ロック手段と、を備え、前記第１係合部材と前記第２係合部材、及び、前記第１被係合部材と前記第２被係合部材の一方が、前記補強部材を介して前記扉本体に取り付けられていることを特徴とする。
【発明の効果】
【００１０】
本発明によると、樹脂製の扉本体に対する係合部材の支持を堅固にして、係合部材を含む開閉扉の剛性を高めることが可能になると共に、扉閉まり力の増加で操作性が損なわれるような問題を回避することが可能になる。
【図面の簡単な説明】
【００１１】
【図１】本発明の実施形態に係る画像形成装置を模式的に示す断面図。
【図２】開閉扉を装置本体から取り外して裏側から見た状態で示す斜視図。
【図３】図２に示す開閉扉を表側から見た状態で示す斜視図。
【図４】（ａ）は図２における手前側のヒンジ部を拡大して示す斜視図、（ｂ）は図２における奥側のヒンジ部を拡大して示す斜視図。
【図５】装置本体におけるヒンジ部の構造を示す斜視図。
【図６】（ａ）は図２における手前側の第１ロック機構等を示す斜視図、（ｂ）は図２における奥側の第２ロック機構等を示す斜視図。
【図７】（ａ）は図６（ａ）に示す構成に第１引込み機構を加えた状態で示す斜視図、（ｂ）は図６（ｂ）に示す構成に第２引込み機構を加えた状態で示す斜視図。
【図８】図２における手前側での補強ステイに対する第１フック部材と第１被引込みフック部材の締結部を示す斜視図である。
【発明を実施するための形態】
【００１２】
以下、図面に沿って本発明の実施形態について説明する。なお、以下の説明において、画像形成装置を正面から視た状態（図１の視点）を基準にして上下左右の位置関係を表すものとする。
【００１３】
［画像形成装置］
第１の実施形態に係る画像形成装置１００は、図１にその概略構成を示すように、フルカラーレーザビームプリンタを一例とする、シート搬送装置を備えた画像形成装置である。本実施形態に係る画像形成装置１００は、複写機、ファクシミリ、プリンタ、これらの複合機等から構成可能である。なお、図１は、本実施形態に係る画像形成装置１００を模式的に示す断面図である。
【００１４】
図１に示すように、画像形成装置１００は、画像形成装置本体（装置本体）１００ａを備えている。近年は、多種多様なシートへの適応性やプリント生産性に優れるという観点から、４色の画像形成部を中間転写ベルト１３０の周方向に沿って並べて配置した中間転写タンデム方式が主流となっており、本実施形態においてもこの方式を採用している。
【００１５】
画像形成装置１００では、搬送されるシートＳに画像を形成する画像形成部８１に設けられた４つの感光体ドラム９１，９２，９３，９４が、それぞれ帯電部９５，９６，９７，９８により表面を一様な電荷に帯電される。画像形成部８１に設けられた露光部１１１，１１２，１１３，１１４には、それぞれイエロー（Ｙ）、マゼンタ（Ｍ）、シアン（Ｃ）、ブラック（Ｂｋ）の画像信号が入力される。そして、露光部１１１，１１２，１１３，１１４により、画像信号に応じて各感光体ドラム表面がレーザ光で照射され、電荷が中和され、潜像が形成される。
【００１６】
感光体ドラム９１，９２，９３，９４にそれぞれ形成された潜像は、現像部１１５，１１６，１１７，１１８によってそれぞれイエロー、マゼンタ、シアン、ブラックのトナーで現像される。各感光体ドラム９１〜９４にてそれぞれ現像されたトナーは、１次転写ローラ１２５，１２６，１２７，１２８により無端ベルト状の中間転写ベルト１３０に順番に転写され、中間転写ベルト上にフルカラーのトナー像として形成される。感光体ドラム９１〜９４の各周囲に配置された帯電部９５〜９８、現像部１１５〜１１８、感光体クリーナ１３５，１３６，１３７，１３８は、プロセスカートリッジとして画像形成ユニットを構成している。
【００１７】
中間転写ベルト１３０は、２次転写内ローラ１０４、駆動ローラ１３１、テンションローラ１３２及び張架ローラ１３３によって張架され、図中の矢印Ｂの方向へと搬送駆動される。上述したイエロー（Ｙ）、マゼンタ（Ｍ）、シアン（Ｃ）、ブラック（Ｂｋ）に対応する画像形成部８１によって並列処理される各色の画像形成プロセスは、中間転写ベルト１３０上に１次転写された上流色のトナー像上に重ね合わせるタイミングで行われる。その結果、最終的にはフルカラーのトナー像が中間転写ベルト１３０上に形成され、２次転写部１０３へと搬送される。この２次転写部１０３は、対向する２次転写内ローラ１０４及び２次転写外ローラ１０５により形成される２次転写ニップ部を有し、所定の加圧力と静電的負荷バイアスが与えられることでシート上にトナー像を２次転写させる。なお、本実施形態における画像形成部８１はＹ、Ｍ、Ｃ、Ｂｋの４セットが存在するが、色数は４色に限定されるものではなく、また色の並び順もこの限りではない。
【００１８】
装置本体１００ａ内の下部側には、給紙カセット１０１が装着されている。給紙カセット１０１内には、積載される形でシートＳが収納されている。給紙カセット１０１内のシートＳは、給送ローラ４３により画像形成タイミングに合わせて給送される。給送ローラ４３で送り出されたシートＳは、搬送ローラ４４と分離ローラ４５間の分離ニップ部を経由して搬送ローラ対４６、搬送ローラ対２０６を介してレジストレーションローラ対１０２へと搬送される。
【００１９】
レジストレーションローラ対１０２は、シートＳを突き当ててループを形成することでシート先端を倣わせて斜行を補正すると共に、中間転写ベルト１３０上に担持されたトナー像に合わせて、所定のタイミングでシートＳを２次転写部１０３に搬送する。
【００２０】
レジストレーションローラ対１０２により、中間転写ベルト１３０上のトナー像に対してタイミングを合わせることで、シートＳと画像のずれが無いように制御される。トナー像は、２次転写部１０３を介して中間転写ベルト１３０からシートＳに転写された後、定着部１５０に送られ、定着部１５０で加熱及び加圧されて定着される。なお、画像形成部８１、２次転写部１０３及び定着部１５０により、シート搬送装置１０７により搬送されてくるシートＳに画像を形成する画像形成手段１０８が構成される。
【００２１】
定着部１５０で定着されて定着画像を有するシートＳは、分枝搬送機構１５１から排出ローラ対６４を介して排出トレイ１６０上に排出、もしくは分枝搬送機構１５１から排出ローラ対６５を介して排出トレイ１６１上に排出される。また、両面画像形成を要する場合には、定着画像を有するシートＳは、反転搬送機構１６２から両面搬送機構１６３へと搬送される。なお、符号４７，４８，４９は、搬送経路の選択を行うための切換え部材である。
【００２２】
反転搬送機構１６２等で両面画像形成を要する場合には、第１搬送路１８０を介して搬送されて排出ローラ対６６から排出トレイ１６１上に先端側を一部突出させたシートＳを、切換え部材４８，４９を夫々に切り換えた状態で排出ローラ対６６を反転させる。これにより、このシートＳは、反転搬送路１８１を介して両面搬送機構１６３に後端から送り込まれる。更にこのシートＳは、搬送ローラ対６７，６８を介して経路６９に搬送され、先後端が入れ替えられた状態で、給紙カセット１０１等から搬送されてくる後続ジョブのシートＳとのタイミングを合わせて経路６９から再合流される。そして、このシートＳは、上記と同様にレジストレーションローラ対１０２を経て２次転写部１０３へと送られ、裏面への画像形成が行われる。なお、符号１８２は、反転搬送路１８１で反転されたシートＳが排出される第３排出搬送路であり、１８３は、反転搬送路で反転されたシートＳが第１搬送路に再搬送する両面搬送路である。
【００２３】
そして、装置本体１００ａにおける搬送ローラ対６７，６８と対向する位置には、開閉扉１０が、軸Ｊを支点として装置本体１００ａに対して開閉可能に支持されている。開閉扉１０を含む装置本体１００ａの開閉扉内方には、搬送ローラ対６７，６８等を有するシート搬送装置７８が配設されているが、その詳細については後述する。
【００２４】
上記搬送ローラ対６７は、装置本体１００ａ側に配置された駆動ローラ５４と、開閉扉１０の開閉動作により駆動ローラ５４に対して接離可能に、かつ開閉扉１０側に回動軸５３（図２参照）を介して回転可能に支持された従動ローラ５５とから構成される。上記搬送ローラ対６８は、装置本体１００ａ側に配置された駆動ローラ５７と、開閉扉１０の開閉動作により駆動ローラ５７に対して接離可能に、かつ開閉扉１０側に回動軸５６（図２参照）を介して回転可能に支持された従動ローラ５８とから構成される。
【００２５】
［開閉扉］
次に、本実施形態に係るシート搬送装置７８に備えられた開閉扉１０の構成について、図２に沿って説明する。なお、図２は、装置本体１００ａから取り外した開閉扉１０を裏側から見た状態で示す斜視図である。
【００２６】
本実施形態に係る開閉扉１０は、図２に示すように、全体として略矩形状に構成され、その回動基部が装置本体１００ａに対して回動可能に支持されている。この開閉扉１０は、合成樹脂材から構成される（樹脂製の）扉本体１０ａと、補強部材としての一体の補強ステイ１５とを有している。扉本体１０ａは、一端部（図２の下端部）が第１ヒンジ機構２０及び第２ヒンジ機構３０により回動可能に支持されている。補強ステイ（補強部材）１５は、金属材料を用いて堅固に形成され、扉本体１０ａにおける一端部と反対側の他端部（図２の上端部）にて一体形状に延設されて扉本体１０ａに固定されている。この補強ステイ１５は、第１ヒンジ機構２０及び第２ヒンジ機構３０により支持される回動基部（扉本体１０ａの一端部）の軸Ｊと平行な方向（矢印Ｄの方向）において一側と他側との間にて延在している。つまり、補強ステイ１５は、扉本体１０ａの一端部の軸Ｊと平行な方向（Ｄ）にて扉本体１０ａの他端部に沿うように延設されている。補強ステイ１５は、図２の上端部においてビス（ネジ部材）２８，２９等により扉本体１０ａに締結されて固定されている。
【００２７】
第１ヒンジ機構（ヒンジ手段）２０は、開閉扉１０の一側（図２の右側（手前側））における回動基部に配置されて、開閉扉１０の扉本体１０ａを装置本体１００ａに対して回動可能に支持している。第２ヒンジ機構（ヒンジ手段）３０は、開閉扉１０の他側（図２の左側（奥側））における回動基部に配置されて、開閉扉１０の扉本体１０ａを装置本体１００ａに対して回動可能に支持している。
【００２８】
扉本体１０ａには、補強ステイ１５の延設方向の両側部から夫々第１ヒンジ機構２０及び第２ヒンジ機構３０に向かって延在するように、第１側部補強部材１６及び第２側部補強部材１７がビス２４，２５等により扉本体１０ａに締結されて固定されている。第１側部補強部材（側部補強部材）１６及び第２側部補強部材（側部補強部材）１７は、金属材料を用いて堅固に構成されている。補強ステイ１５の両端部は、ビス（ネジ部材）８，９等により第１側部補強部材１６及び第２側部補強部材１７と共締めされた形で扉本体１０ａに固定されている。
【００２９】
補強ステイ１５、第１側部補強部材１６、第２側部補強部材１７に囲まれた扉本体１０ａの中央部分には、軸方向で所定の間隔をあけた状態で従動ローラ５５を固定された回動軸５３が軸支持部７９ａ，７９ｂを介して扉本体１０ａに回転可能に支持されている。また、扉本体１０ａの中央部分における従動ローラ５５，５５より図２下方の位置には、軸方向にて所定の間隔をあけた状態で従動ローラ５８，５８を固定された回動軸５６が軸支持部８０ａ，８０ｂを介して扉本体１０ａに回転可能に支持されている。
【００３０】
開閉扉１０の上端部両端には、第１ロック機構（ロック手段，第１ロック手段）３５及び第１引込み機構（引込み手段）３８と、第２ロック機構（ロック手段，第２ロック手段）３６及び第２引込み機構（引込み手段）３９とが配置されている（図７も参照）。これらの詳細については、後述する。
【００３１】
［第１ヒンジ機構、第２ヒンジ機構］
次に、図２〜図５に沿って、第１ヒンジ機構２０及び第２ヒンジ機構３０の詳細な構成について説明する。なお、図３は、図２に示す開閉扉を表側から見た状態で示す斜視図である。図４（ａ）は、図２における手前側のヒンジ部を拡大して示す斜視図、図４（ｂ）は、図２における奥側のヒンジ部を拡大して示す斜視図である。図５は、装置本体におけるヒンジ部の構造を示す斜視図である。
【００３２】
図２〜図５に示すように、開閉扉１０の回動基部における両端部に配置された第１ヒンジ機構２０及び第２ヒンジ機構３０は、軸Ｊを形成しているヒンジ軸２１，３１をそれぞれ有する固定側ヒンジ板２３，３３を備えている。固定側ヒンジ板２３，３３は、それぞれ装置本体１００ａのフレーム枠１１における両側端部にビス等で締結されて固定されている。また、可動側ヒンジ板２２，３２が、それぞれ扉本体１０ａの下部にビス等で締結されて固定されている。可動側ヒンジ板２２，３２はそれぞれ、固定側ヒンジ板２３，３３に固定されたヒンジ軸２１，３１に所定部位が回動可能に支持されている。これにより、開閉扉１０は可動側ヒンジ板２２，３２及び固定側ヒンジ板２３，３３を介して装置本体１００ａに対して回動可能に支持される。
【００３３】
図３に示すように、開閉扉１０における扉本体１０ａの外装カバー部１３の上部一側（図３の左側）には、第１フック部材４０及び第２フック部材５０に不図示の伝達機構を介して連結された把手部１２が配置されている。外装カバー部１３における把手部１２に対応する位置には、把手部１２を表面に操作可能に露出するための凹部１４が形成されている。この凹部１４から露出した把手部１２を摘んで操作することで、第１フック部材（係合部材，第１係合部材）４０及び第２フック部材（係合部材，第２係合部材）５０を共に回動させて、ロック状態の開閉扉１０を開放することができる。
【００３４】
［第１ロック機構、第２ロック機構］
次に、図２及び図６〜図８に沿って、第１ロック機構３５、第２ロック機構３６、第１引込み機構３８及び第２引込み機構３９の詳細な構成について説明する。なお、図６（ａ）は、図２における手前側（右側）の第１ロック機構等を拡大して示す斜視図、図６（ｂ）は、図２における奥側（左側）の第２ロック機構等を拡大して示す斜視図である。図７（ａ）は、図６（ａ）に示す構成に第１引込み機構を加えた状態で示す斜視図、図７（ｂ）は、図６（ｂ）に示す構成に第２引込み機構を加えた状態で示す斜視図である。図８は、図２における手前側での補強ステイに対する第１フック部材と第１被引込みフック部材の締結部を示す斜視図である。
【００３５】
第１ロック機構３５は、図２、図６（ａ）及び図７（ａ）に示すように、開閉扉１０側に支持された第１フック部材４０と、装置本体１００ａのフレーム枠１１に固定されて第１フック部材４０が係合される第１フック軸４１とを有している。第１フック部材４０は、金属製の補強ステイ１５を介して、樹脂製の扉本体１０ａに堅固に取り付けられている。第１ロック機構３５は、開閉扉１０を装置本体１００ａ側に閉じる動作で第１フック部材４０を第１フック軸（被係合部材，第１被係合部材）４１に係合させることで、開閉扉１０の一側（図２における右側）をロックする。
【００３６】
第２ロック機構３６は、図２、図６（ｂ）及び図７（ｂ）に示すように、開閉扉１０側に支持された第２フック部材５０と、装置本体１００ａのフレーム枠１１に固定されて第２フック部材５０が係合される第２フック軸５１とを有している。第２フック部材５０は、金属製の補強ステイ１５を介して、樹脂製の扉本体１０ａに堅固に取り付けられている。第２ロック機構３６は、開閉扉１０を装置本体１００ａ側に閉じる動作で第２フック部材５０を第２フック軸（被係合部材，第２被係合部材）５１に係合させることで、開閉扉１０の他側（図２における左側）をロックする。以上の第１フック部材４０及び第２フック部材５０は、図７（ａ），（ｂ）に示すように、開閉扉１０が装置本体１００ａ側に閉じられた際、装置本体１００ａ側のフック軸４１，５１にそれぞれ係合して開閉扉１０を閉じた状態でロックする。
【００３７】
［第１引込み機構、第２引込み機構］
また、図２、図６（ａ），（ｂ）及び図７（ａ），（ｂ）に示すように、開閉扉１０における第１ロック機構３５に隣接する位置には第１引込み機構３８が配置され、第２ロック機構３６に隣接する位置には第２引込み機構３９が設けられている。これら第１引込み機構３８及び第２引込み機構３９は、開閉扉１０が装置本体１００ａ側に閉じられる際の扉閉まり力を低減するために、装置本体１００ａ側への開閉扉１０の閉じ力をアシストする。
【００３８】
第１引込み機構３８は、図２、図６（ａ）及び図７（ａ）に示すように、以下の構成を有する。即ち、第１引込み機構３８は、装置本体１００ａに対し所定位置を越えて挿入された開閉扉１０の一側（図２の右側、扉本体１０ａの他端部）を、第１フック部材４０と第１フック軸４１とが係合を完了する位置（図７（ａ）に示す位置）に向けて引き込む。
【００３９】
第１引込み機構３８は、装置本体１００ａに回動可能に支持された第１引込みアーム（引込み部材）６２と、開閉扉１０に設けられて、第１引込みアーム６２により引き込まれる第１被引込みフック部材（被引込み部材）６３とを有している。さらに、第１引込み機構３８は、装置本体１００ａと第１引込みアーム６２間に張設された第１トグルバネ（付勢部材）６１を有している。第１トグルバネ６１は、第１被引込みフック部材６３を装置本体側に引き込む引込み姿勢（図７（ａ）における姿勢）と、引き込まない非引込み姿勢とに、第１引込みアーム６２の姿勢を切り換える引っ張りバネから構成されている。第１トグルバネ６１は、フレーム枠１１に固定された支持部材１３９に形成された突部７４と、第１引込みアーム６２の側面に突出形成された突部７５との間に一端と他端が引っ掛けられている。第１引込みアーム６２は、支持部材１３９に取り付けられた回動軸６２ａを支点として回動可能に支持されている。第１引込み機構３８における上記所定位置は、第１フック部材４０の先端に設けられた爪下端部４０ｃが装置本体１００ａ側の第１フック軸４１に接触し始める開閉扉１０の回動位置である。
【００４０】
第２引込み機構３９は、図２、図６（ｂ）及び図７（ｂ）に示すように、以下の構成を有する。即ち、第２引込み機構３９は、装置本体１００ａに対し所定位置を越えて挿入された開閉扉１０の他側（図２の左側、扉本体１０ａの他端部）を、第２フック部材５０と第２フック軸５１とが係合を完了する位置（図７（ｂ）に示す位置）に向けて引き込む。
【００４１】
第２引込み機構３９は、装置本体１００ａに回動可能に支持された第２引込みアーム（引込み部材）７２と、開閉扉１０に設けられて、第２引込みアーム７２により引き込まれる第２被引込みフック部材（被引込み部材）７３とを有している。さらに、第２引込み機構３９は、装置本体１００ａと第２引込みアーム７２間に張設された第２トグルバネ（付勢部材）７１を有している。第２トグルバネ７１は、第２被引込みフック部材７３を装置本体側に引き込む引込み姿勢（図７（ｂ）における姿勢）と、引き込まない非引込み姿勢とに、第２引込みアーム７２の姿勢を切り換える引っ張りバネから構成されている。第２トグルバネ７１は、フレーム枠１１に固定された支持部材１４０に形成された突部７７と、第２引込みアーム７２の側面に突出形成された突部７６との間に一端と他端が引っ掛けられている。第２引込みアーム７２は、支持部材１４０に取り付けられた回動軸７２ａを支点として回動可能に支持されている。第２引込み機構３９における上記所定位置は、第２フック部材５０の先端に設けられた爪下端部５０ｃが装置本体１００ａ側の第２フック軸５１に接触し始める開閉扉１０の回動位置である。
【００４２】
このように第１引込み機構３８では、爪下端部４０ｃが第１フック軸４１に接触し始めるとき、図７（ａ）における第１被引込みフック部材６３に一体に設けられた押圧部６３ｃが、非引込み姿勢の第１引込みアーム６２を装置本体１００ａ側に押圧する。そのため、第１引込みアーム６２は、回動軸６２ａを支点として回動する際に第１トグルバネ６１が中立点（思案点）を越えると、回動軸６２ａを支点として第１トグルバネ６１のバネ力で図７（ａ）における反時計回り方向に強く回動する。これにより、第１引込みアーム６２は、第１被引込みフック部材６３の先端爪部６３ａに係合しつつ第１被引込みフック部材６３を装置本体１００ａ側に強く引き込むようにアシストする。
【００４３】
また、第２引込み機構３９では、爪下端部５０ｃが第２フック軸５１に接触し始めるとき、図７（ｂ）における第２被引込みフック部材７３に一体に設けられた押圧部７３ｃが、非引込み姿勢の第２引込みアーム７２を装置本体１００ａ側に押圧する。そのため、第２引込みアーム７２は、回動軸７２ａを支点として回動する際に第２トグルバネ７１が中立点（思案点）を越えると、回動軸７２ａを支点として第２トグルバネ７１のバネ力で図７（ｂ）における時計回り方向に強く回動する。これにより、第２引込みアーム７２は、第２被引込みフック部材７３の先端爪部７３ａに係合しつつ第２被引込みフック部材７３を装置本体１００ａ側に強く引き込むようにアシストする。
【００４４】
従って、開閉扉１０を閉じる際に、把手部１２を特に操作することなく外装カバー部１３を装置本体１００ａ側に軽く押し込むだけで、第１引込み機構３８及び第２引込み機構３９によって開閉扉１０を自動的に閉じ位置に移行させることができる。つまり、外装カバー部１３を装置本体１００ａ側に軽く押し込むと、第１フック部材４０が第１フック軸４１に係合する閉じ位置に移行し、第２フック部材５０が第２フック軸５１に係合する閉じ位置に移行する。
【００４５】
以上の第１引込み機構３８及び第２引込み機構３９における第１被引込みフック部材６３及び第２被引込みフック部材７３も、前述した第１フック部材４０及び第２フック部材５０と同様に、補強ステイ１５を介して扉本体１０ａに堅固に取り付けられている。
【００４６】
すなわち、図８に示すように、補強ステイ１５の一側及び他側には、補強ステイ１５の面から段状に突出する段部１５ａ（他側の段部は図６（ｂ）における保持板部７３ｂに隠れている）が設けられている）。
【００４７】
ここで、第１フック部材４０は、フック支持部材４２の縦壁部４２ａに形成された軸孔４２ｄに貫通された軸部材４０ｂによりフック支持部材４２に対して回動可能に支持されている。この縦壁部４２ａには、補強ステイ１５の段部１５ａに向けて折曲して延びるように支持板部４２ｂが形成されている。この構成を有するフック支持部材４２と第１フック部材４０とは、一体的に組み立てられた組立体（サブアッシー）として構成されている。また、図６（ｂ）及び図７（ｂ）に示すように、第２フック部材５０は、フック支持部材５２の縦壁部（不図示）に形成された軸孔（不図示）に貫通された軸部材（不図示）によりフック支持部材５２に対して回動可能に支持されている。なお、不図示の部位は、図８に示す第１フック部材４０側の構成と同様である。不図示の縦壁部には、補強ステイ１５の他側の段部（不図示）に向けて折曲して延びるように支持板部５２ｂ（図６（ｂ））が形成されている。この構成を有するフック支持部材５２及び第２フック部材５０も、一体的に組み立てられた組立体として構成される。
【００４８】
そして、図８に示すように、補強ステイ１５の一側では、第１フック部材４０及びフック支持部材４２の組立体が、その支持板部４２ｂを段部１５ａに対向させた状態で当接している。更に、その上部に、第１被引込みフック部材６３の先端爪部６３ａを保持している保持板部６３ｂが対向した状態で当接させられる。そして、保持板部６３ｂに形成された貫通孔６３ｅと、支持板部４２ｂに形成された貫通孔４２ｅとを順次貫通したビス（ネジ部材）１８が、段部１５ａに形成された雌ネジ孔１５ｅに螺合される。これにより、第１被引込みフック部材６３と第１フック部材４０（のフック支持部材４２）とが共締めされることで、補強ステイ１５を介して扉本体１０ａに堅固に取り付けられる。
【００４９】
また、補強ステイ１５の他側では、第２フック部材５０及びフック支持部材５２の組立体が、その支持板部５２ｂを段部（不図示）に対向させた状態で当接している。更に、その上部に、第２被引込みフック部材７３の先端爪部７３ａを保持している保持板部７３ｂが対向した状態で当接させられる。そして、保持板部７３ｂに形成された貫通孔（不図示）と、支持板部５２ｂに形成された貫通孔（不図示）とを順次貫通したビス（ネジ部材）１９が、段部に形成された雌ネジ孔（不図示）に螺合される。これにより、第２被引込みフック部材７３と第２フック部材５０（のフック支持部材５２）とが共締めされることで、補強ステイ１５を介して扉本体１０ａに堅固に取り付けられる。
【００５０】
以上の本実施形態によれば、開閉扉１０の下部が、第１ヒンジ機構２０及び第２ヒンジ機構３０により装置本体１００ａに軸支された状態で、上部が第１ロック機構３５及び第２ロック機構３６により装置本体１００ａ側に適正にロックされる。そして、補強ステイ１５が、開閉扉１０の第１、第２ヒンジ機構２０，３０と、第１、第２ロック機構３５，３６（第１、第２引込み機構３８，３９）とを結ぶ直線に垂直な方向（図２の矢印Ｄ方向）に延設されて扉本体１０ａを効果的に補強している。このため、第１フック部材４０及び第２フック部材５０（フック支持部材４２，５２）を含めた開閉扉１０の剛性が高められている。従って、開閉扉１０の回動基部の軸Ｊと平行な方向（矢印Ｄ方向）にて一側と他側との間に延設された補強ステイ１５により、開閉扉１０の撓みが効果的に低減され、開閉扉１０の閉まる力の適正化が可能となる。つまり、装置本体１００ａに固定される開閉扉１０の手前側から奥側に向かう直線上で長手状に形成された補強ステイ１５で補強された開閉扉１０は、その開閉時に内側や外側から押圧する力が作用しても撓みが発生し難い状態を維持できる。
【００５１】
上記のように樹脂製の扉本体１０ａに対する第１フック部材４０及び第２フック部材５０の支持を堅固にして、これらフック部材４０，５０を含む開閉扉１０の剛性を高めることが可能で、扉閉まり力の増加で操作性が損なわれるような問題が回避可能になる。開閉扉１０の剛性を向上させることで、第１フック部材４０及び第２フック部材５０間の変形による相対位置ズレを抑制し、開閉扉１０の手前側か奥側の一方が閉まって他方が開くような、所謂片閉まりの現象を確実に防止することが可能になる。
【００５２】
また、本実施形態では、第１被引込みフック部材６３及び第２被引込みフック部材７３も、第１フック部材４０及び第２フック部材５０と共に、ビス１８，１９により共締めされて、補強ステイ１５を介して扉本体１０ａに取り付けられている。これにより、開閉扉１０の剛性を向上させ、第１及び第２フック部材４０，５０の間、第１及び第２被引込みフック部材６３，７３の間の変形による相対位置ズレを抑制することが可能になり、操作性を良好にすると共に片閉まりの現象を防止可能となる。
【００５３】
また、本実施形態では、第１、第２側部補強部材１６，１７（図２）もその雌ネジ孔（不図示）にビス１８，１９を螺合して補強ステイ１５と共に共締めすることで、扉本体１０ａ全体の強度がより高められている。つまり、開閉扉１０は、補強ステイ１５、第１側部補強部材１６及び第２側部補強部材１７によって樹脂製の扉本体１０ａの枠組みが堅固に形成されることで、開閉扉１０の手前−奥方向の撓み等がより有効に抑制される。
【００５４】
また、本実施形態では、第１引込み機構３８及び第２引込み機構３９を有するので、装置本体１００ａ側への開閉扉１０の閉じ方向の力をアシストして、開閉扉１０を閉じる際の扉閉まり力を低減し、片閉まり現象をより有効に防止することができる。
【００５５】
上記構成に限らず、第１フック部材４０及び第２フック部材５０（フック支持部材４２，５２）同士のみを補強ステイ１５を介して扉本体１０ａに取り付けるように構成することも可能である。これによっても、上述と略同様の効果を得ることが可能である。また、第１被引込みフック部材６３及び第２被引込みフック部材７３同士のみを補強ステイ１５を介して扉本体１０ａに取り付けるように構成することも可能である。これによっても、上述と略同様の効果を得ることが可能である。
【００５６】
なお、本実施形態では、第１フック部材４０が開閉扉１０に配置され、第１フック軸４１が装置本体１００ａに配置されているが、一方、他方の関係はこの逆であっても良い。即ち、第１フック軸４１が開閉扉１０に配置され、第１フック部材４０が装置本体１００ａに配置されていても良い。また、第２フック部材５０が開閉扉１０に配置され、第２フック軸５１が装置本体１００ａに配置されているが、一方、他方の関係はこの逆であっても良い。即ち、第２フック軸５１が開閉扉１０に配置され、第２フック部材５０が装置本体１００ａに配置されていても良い。このように、第１フック軸４１及び第２フック軸５１が開閉扉１０に配置される際、第１フック軸４１及び第２フック軸５１が補強ステイ１５を介して扉本体１０ａに取り付けられるが、この場合にも同様の機能が得られる。
【００５７】
また本実施形態では、第１被引込みフック部材６３が開閉扉１０に配置され、第１引込みアーム６２及び第１トグルバネ６１が装置本体１００ａに配置されているが、一方、他方の関係はこの逆であっても良い。即ち、第１引込みアーム６２及び第１トグルバネ６１が開閉扉１０に配置され、第１被引込みフック部材６３が装置本体１００ａに配置されていても良い。また、第２被引込みフック部材７３が開閉扉１０に配置され、第２引込みアーム７２及び第２トグルバネ７１が装置本体１００ａに配置されているが、一方、他方の関係はこの逆であっても良い。即ち、第２引込みアーム７２及び第２トグルバネ７１が開閉扉１０に配置され、第２被引込みフック部材７３が装置本体１００ａに配置されていても良い。このように、第１引込みアーム６２及び第２引込みアーム７２が開閉扉１０に配置される際、第１引込みアーム６２及び第２引込みアーム７２が補強ステイ１５を介して扉本体１０ａに取り付けられるが、この場合にも同様の機能が得られる。
【００５８】
このように本実施形態では、補強ステイ１５を介して扉本体１０ａに、上記フック部材４０，５０と上記フック軸４１，５１の何れかを、また、上記被引込みフック部材６３，７３と上記引込みアーム６２，７２の何れかを取り付けることが可能である。しかしこれに限らず、第１及び第２フック部材４０，５０の一方を扉本体１０ａに補強ステイ１５を介して取り付け、かつこれらの他方を扉本体１０ａに補強ステイ１５を介さずに直接取り付けることも可能である。また、第１及び第２フック軸４１，５１の一方を扉本体１０ａに補強ステイ１５を介して取り付け、かつこれらの他方を扉本体１０ａに補強ステイ１５を介さずに直接取り付けることも可能である。更には、第１及び第２被引込みフック部材６３，７３の一方を扉本体１０ａに補強ステイ１５を介して取り付け、かつこれらの他方を扉本体１０ａに補強ステイ１５を介さずに直接取り付けることも可能である。また、第１及び第２引込みアーム６２，７２の一方を扉本体１０ａに補強ステイ１５を介して取り付け、かつこれらの他方を扉本体１０ａに補強ステイ１５を介さずに直接取り付けることも可能である。
【００５９】
これらの場合、上記引込みアーム６２，７２の一方もしくは上記被引込みフック部材６３，７３の一方が、上記フック部材４０，５０の一方もしくは上記フック軸４１，５１の一方と共に補強ステイ１５を介して扉本体１０ａに取り付けることも可能である。つまり、この場合の組み合わせとして、第１引込みアーム６２と第１被引込みフック部材６３の一方が、第１フック部材４０と第１フック軸４１の一方と共に補強ステイ１５を介して扉本体１０ａに取り付けられることが可能である。また、第２引込みアーム７２と第２被引込みフック部材７３の一方が、第２フック部材５０と第２フック軸５１の一方と共に補強ステイ１５を介して扉本体１０ａに取り付けられることなども可能である。
【００６０】
以上の構成により、例えば、第１引込みアーム６２が第１フック部材４０と共に補強ステイ１５を介して扉本体に取り付けられ、第２引込みアーム７２及び第２フック部材５０が補強ステイ１５を介さずに扉本体１０ａに取り付けられる構成が実現可能になる。また例えば、第１被引込みフック部材６３が第１フック軸４１と共に補強ステイ１５を介して扉本体１０ａに取り付けられ、かつ第２被引込みフック部材７３及び第２フック軸５１が補強ステイ１５を介さずに扉本体１０ａに取り付けられる構成が実現可能になる。これらの構成によれば、一方の部材は補強ステイ１５を介して扉本体１０ａに固定されるが、他方の部材は扉本体１０ａに直接的に固定されることになる。そのため、片閉まり現象に対する効果はやや低減する可能性はあるが、開閉扉１０開閉時の操作性を良好にする効果については前述と同様に得ることができる。
【００６１】
なお、本実施形態では、電子写真方式の画像形成装置１００を用いて説明したが、これに代えて、例えば、ノズルからインク液を吐出させることでシートに画像を形成するインクジェット方式の画像形成装置に用いることも可能である。
【符号の説明】
【００６２】
１０…開閉扉／１０ａ…扉本体／１５…補強ステイ（補強部材）／１６…第１側部補強部材（側部補強部材）／１７…第２側部補強部材（側部補強部材）／１８，１９…ビス（ネジ部材）／２０…第１ヒンジ機構（ヒンジ手段）／３０…第２ヒンジ機構（ヒンジ手段）／３５…第１ロック機構（ロック手段，第１ロック手段）／３６…第２ロック機構（ロック手段，第２ロック手段）／３８…第１引込み機構（引込み手段）／３９…第２引込み機構（引込み手段）／４０…第１フック部材（係合部材，第１係合部材）／４１…第１フック軸（被係合部材，第１被係合部材）／５０…第２フック部材（係合部材，第２係合部材）／５１…第２フック軸（被係合部材，第２被係合部材）／６１…第１トグルバネ（付勢部材）／６２…第１引込みアーム（引込み部材）／６３…第１被引込みフック部材（被引込み部材）／７３…第２被引込みフック部材（被引込み部材）／７１…第２トグルバネ（付勢部材）／７２…第２引込みアーム（引込み部材）／７８…シート搬送装置／１００…画像形成装置／１００ａ…装置本体／１０８…画像形成手段／Ｊ…軸／Ｓ…シート
【図１】
2017053930.tif 000003
【図２】
2017053930.tif 000004
【図３】
2017053930.tif 000005
【図４】
2017053930.tif 000006
【図５】
2017053930.tif 000007
【図６】
2017053930.tif 000008
【図７】
2017053930.tif 000009
【図８】
2017053930.tif 000010